(57)【要約】      （修正有）【課題】密封性の高い防水コネクタを提供する。【解決手段】絶縁本体１０と、端子セットと、下蓋３０と、挟持部材と、充填体５０とを備える。絶縁本体１０の前表面には後ろに向けて挿入溝１１が凹設される。絶縁本体１０の下表面には上に向ける係合溝及び挿入溝１１に連通される複数の端子溝が凹設される。端子セットは複数の端子２１及び複数の端子２１の中央部に一体成形される係合ブロック２２を含む。係合ブロック２２は係合溝内に係合される。端子２１は端子溝に対応するように装設される。下蓋３０により絶縁本体１０及び係合ブロック２２の下表面が蓋をされる。挟持部材は挟持端子及び位置決めブロックを備える。また、挟持端子は固着部と、挟持アームと、挟持部とを含む。位置決めブロックは挟持端子の外部にインモールド成形される。挟持端子は装着溝内に装着される。挟持アームは挟持溝内に収容される。挟持部は内に向けて挿入溝１１内に挿入される。充填体は装着溝内に一体成形される。【選択図】図６
0003206263.tif 000002
【実用新案登録請求の範囲】
【請求項１】
前表面には後ろに向けて陥没する挿入溝が形成され、下表面の後端には上に向けて陥没する係合溝が形成され、下表面は係合溝の前方向に内側に陥没すると共に挿入溝に連通される複数の端子溝が形成され、後表面には前に向けて陥没する装着溝が形成され、前記装着溝の両側には前に向けて陥没すると共に挿入溝に連通される一対の挟持溝が更に形成される絶縁本体と、
複数の端子及び係合ブロックを含み、前記複数の端子は横向きに配列され、前記係合ブロックは複数の端子の中央部に一体成形され、係合ブロックは絶縁本体の係合溝内に係合され、複数の端子は係合ブロックの前方に位置される部分が絶縁本体の端子溝内に収容されると共に内に向けて挿入溝内に挿入され、複数の端子は係合ブロックの後方に位置される部分が絶縁本体の下表面に露出される端子セットと、
絶縁本体及び係合ブロックの下表面が蓋をされる下蓋と、
挟持端子及び一対の位置決めブロックからなり、前記挟持端子は横向きに延伸される固着部及び固着部の両端から前に向けて湾曲されて延伸されて形成される一対の挟持アームを含み、前記挟持アームの末端には内に向けて弓なりになる一対の挟持部が形成され、前記一対の位置決めブロックは挟持端子の固着部及び挟持アームの接合箇所の外部にインモールド成形され、挟持端子の固着部及び位置決めブロックは絶縁本体の装着溝内に装着され、挟持端子の挟持アームは絶縁本体の挟持溝内に収容され、挟持端子の挟持部は内に向けて絶縁本体の挿入溝に挿入される挟持部材と、
挟持部材が装着される絶縁本体の装着溝内に一体成形される充填体とを備えることを特徴とする防水コネクタ。
【請求項２】
上部支持フレーム及び下部支持フレームからなる一組の支持フレームを更に備え、前記上部支持フレームは上部板と、上部板の両側から下に向けて湾曲されて延伸されて形成される２枚の側板と、２枚の側板の端縁から両側に向けて湾曲されて延伸されて形成される二対の上部固定板とを有し、前記下部支持フレームは水平に延伸される底板及び底板の両側から継続して延伸されて形成される一対の下部固定板を含み、前記上部支持フレームの上部板及び２枚の側板により絶縁本体の上表面及び２面の側面が被覆され、前記下部支持フレームの底板により絶縁本体の下表面及び下蓋が被覆され、前記上部支持フレームの上部固定板及び下部支持フレームの下部固定板は外に向けて絶縁本体から延出され、一対の上部固定板は下部固定板の上方に装着されることを特徴とする、請求項１に記載の防水コネクタ。
【請求項３】
前記上部固定板には上部固定孔が開設され、前記下部固定板には上部支持フレームの上部固定孔に対応する箇所に下部固定孔が開設され、前記上部支持フレームの上部固定孔及び下部支持フレームの下部固定孔は互いに対向するように設置されることを特徴とする、請求項２に記載の防水コネクタ。
【請求項４】
前記一組の支持フレームは一対の側部支持フレームを更に備え、各前記側部支持フレームは相互に平行する２枚の挟持板及び２枚の挟持板を接合させる接合板を含み、前記絶縁本体の両側面の後端にはそれぞれ外に向けて突出する装着ブロックが形成され、前記一対の側部支持フレームにより絶縁本体の装着ブロックが被覆されることを特徴とする、請求項２に記載の防水コネクタ。
【請求項５】
前記装着ブロックの中央部には上下に貫通される装着孔が開設され、前記側部支持フレームの挟持板には絶縁本体の装着孔に対応する箇所に位置決め孔が開設され、前記側部支持フレームの位置決め孔及び絶縁本体の装着孔は互いに対応するように設置されることを特徴とする、請求項４に記載の防水コネクタ。
【考案の詳細な説明】
【技術分野】
【０００１】
本考案は、防水コネクタに関する。
【背景技術】
【０００２】
従来の防水コネクタは、絶縁本体と、複数の導電端子と、遮蔽ケースと、絶縁外ケースとを含む。複数の導電端子は内部の絶縁本体に装着され、遮蔽ケースは絶縁本体の外に覆設され、絶縁外ケースは絶縁本体及び遮蔽ケースの外にインモールド成形される。
【考案の概要】
【考案が解決しようとする課題】
【０００３】
しかしながら、前述した従来のコネクタでは、すなわち、従来の防水コネクタは防水機能を有するが、遮蔽ケース、絶縁本体、導電端子、遮蔽ケース及び絶縁外ケースの間の密封性は高くなく、水圧が過大である場合、水流や水気が遮蔽ケース、絶縁本体、導電端子、遮蔽ケース及び絶縁外ケースの間の隙間に沿って設備内部に進入した。そこで、本考案者は上記の欠点が改善可能と考え、鋭意検討を重ねた結果、密封性の高い防水コネクタの設計により上述の問題を解決した。
【０００４】
本考案は、以上の従来技術の課題を解決する為になされたものである。即ち、本考案は、防水コネクタを提供することを主目的とする。
【課題を解決するための手段】
【０００５】
上述した課題を解決し、上記目的を達成するための本考案は、本考案に係る防水コネクタは、絶縁本体と、端子セットと、下蓋と、挟持部材と、充填体とを備える。前記絶縁本体の前表面には後ろに向けて陥没する挿入溝が形成され、前記絶縁本体の下表面の後端には上に向けて陥没する係合溝が形成され、前記絶縁本体の下表面は係合溝の前方に内に向けて陥没すると共に挿入溝に連通される複数の端子溝が形成され、前記絶縁本体の後表面には前に向けて陥没する装着溝が形成され、前記装着溝の両側には前に向けて陥没すると共に挿入溝に連通される一対の挟持溝が更に形成される。前記端子セットは複数の端子及び係合ブロックを含み、前記複数の端子は横向きに配列され、前記係合ブロックは複数の端子の中央部に一体成形され、前記端子セットの係合ブロックは絶縁本体の係合溝内に係合され、複数の端子は係合ブロックの前方に位置される部分が絶縁本体の端子溝内に収容されると共に内に向けて挿入溝内に挿入され、複数の端子は係合ブロックの後方に位置される部分が絶縁本体の下表面に露出される。前記下蓋により絶縁本体及び係合ブロックの下表面が蓋をされる。前記挟持部材は挟持端子及び一対の位置決めブロックを備え、前記挟持端子は横向きに延伸される固着部及び固着部の両端から前に向けて湾曲されて延伸されて形成される対挟持アームで構成され、前記挟持アームの末端には内に向けて弓なりになる一対の挟持部が形成され、前記一対位置決めブロックは挟持端子の固着部及び挟持アームの接合箇所の外部にインモールド成形される。前記挟持部材の挟持端子の固着部及び位置決めブロックは絶縁本体の装着溝内に装着され、挟持端子の挟持アームは絶縁本体の挟持溝内に収容され、挟持端子の挟持部は内に向けて絶縁本体の挿入溝に挿入され、前記充填体は挟持部材が装着される絶縁本体の装着溝内に一体成形される。
【考案の効果】
【０００６】
上述したように、本考案の防水コネクタは、下蓋により絶縁本体及び係合ブロックの下表面が密封されることで、水流が挿入溝から端子溝を経て流出する事態が防止される。また、挟持部材が装着される絶縁本体の装着溝内に接着剤が注入されることで、水流が挿入溝から装着溝を経て流出する事態が防止される。これにより、水流が製品の内部に進入する事態が阻止されて、防水効果が大幅に高まる。
【図面の簡単な説明】
【０００７】
【図１】本考案の第１実施形態に係る防水コネクタを示す外観斜視図である。
【図２】図１に示す一実施形態の防水コネクタを示す展開図である。
【図３】図１に示す一実施形態の防水コネクタを他の角度から見た外観斜視図である。
【図４】図１に示す一実施形態の防水コネクタの絶縁本体を他の角度から見た外観斜視図である。
【図５】図１に示す防水コネクタを説明する断面図である。
【図６】図３に示す防水コネクタを説明する断面図である。
【考案を実施するための形態】
【０００８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【０００９】
（第１実施形態）
まず、図１乃至図６に示すように、本考案の防水コネクタ１００は、絶縁本体１０と、端子セット２０と、下蓋３０と、挟持部材４０と、充填体５０と、一組の支持フレーム（図示せず）とを備える。
【００１０】
図２及び図４を参照すれば、前記絶縁本体１０は一体成形される部材である。前記絶縁本体１０の前表面の中央部には後ろに向けて陥没する挿入溝１１が形成される。前記絶縁本体１０の下表面の後端には上に向けて陥没する係合溝１２が形成される。前記絶縁本体１０の下表面は係合溝１２の前方に内に向けて陥没すると共に挿入溝１１に連通される複数の端子溝１３が形成される。前記絶縁本体１０の後表面には前に向けて陥没する装着溝１４が形成され、且つ装着溝１４の両側には前に向けて陥没すると共に挿入溝１１に連通される一対の挟持溝１５が更に形成される。前記絶縁本体１０の両側面の後端にはそれぞれ外に向けて突出する装着ブロック１６が形成され、且つ装着ブロック１６の中央部には上下に貫通される装着孔１７が開設される。
【００１１】
また、前記端子セット２０は複数の端子２１及び係合ブロック２２を備える。前記複数の端子２１は横向きに配列される。前記係合ブロック２２は複数の端子２１の中央部に一体成形される（図２参照）。
【００１２】
図３及び図６を参照すれば、前記端子セット２０は下から上にかけて絶縁本体１０内に装着される。具体的には、前記端子セット２０の係合ブロック２２が絶縁本体１０の係合溝１２内に係合される。複数の端子２１は係合ブロック２２の前方に位置される部分が絶縁本体１０の端子溝１３内に収容されると共に内に向けて挿入溝１１内に挿入される。複数の端子２１は係合ブロック２２の後方に位置される部分が絶縁本体１０の下表面に露出される。
【００１３】
続いて、図２及び図３を参照すれば、前記下蓋３０はプラスチック部材である。前記下蓋３０により絶縁本体１０及び係合ブロック２２の下表面が蓋をされることで、水流が端子溝１３から挿入溝１１を経て流入する事態が防止される。
【００１４】
なお、図２に示すように、前記挟持部材４０は、ほぼＵ字形を呈すると共に開口部が前に向けられる挟持端子４１及び一対の位置決めブロック４２を備える。前記挟持端子４１は、横向きに延伸される固着部４１１及び固着部４１１の両端から前に向けて湾曲されて延伸されて形成される一対の挟持アーム４１２を含む。前記挟持アーム４１２の末端には内に向けて弓なりになる一対の挟持部４１３が形成される。前記一対の位置決めブロック４２は挟持端子４１の固着部４１１及び挟持アーム４１２の接合箇所の外部にインモールド成形される。
【００１５】
さらに、図４及び図５を参照すれば、前記挟持部材４０は後から前にかけて絶縁本体１０に挿入される。具体的には、前記挟持部材４０の挟持端子４１の固着部４１１及び位置決めブロック４２が絶縁本体１０の装着溝１４内に装着され、挟持端子４１の挟持アーム４１２が絶縁本体１０の挟持溝１５内に収容され、挟持端子４１の挟持部４１３が内に向けて絶縁本体１０の挿入溝１１に挿入される。
【００１６】
図２及び図６を参照すれば、前記充填体５０は挟持部材４０が装着される絶縁本体１０の装着溝１４内に一体成形される。具体的には、挟持部材４０が装着される絶縁本体１０の装着溝１４内に接着剤が注入され、且つ装着溝１４が充填されて、接着剤が凝固すると充填体５０が形成される。接着剤の注入による作用により、水流が挿入溝１１から装着溝１４を経て流入する事態が防止される。
【００１７】
図１乃至図３に示すように、前記支持フレームは、上部支持フレーム６１と、下部支持フレーム６２と、一対の側部支持フレーム６３とを備える。前記上部支持フレーム６１は上部板６１１と、上部板６１１の両側から下に向けて湾曲されて延伸されて形成される２枚の側板６１２と、２枚の側板６１２の端縁から両側に向けて湾曲されて延伸されて形成される二対の上部固定板６１３とを有する。上部固定板６１３には上部固定孔６１４が開設される。前記下部支持フレーム６２は水平に延伸される底板６２１及び底板６２１の両側から継続して延伸されて形成される一対の下部固定板６２２を含む。前記下部固定板６２２は上部支持フレーム６１の上部固定孔６１４に対応する箇所に下部固定孔６２３が開設される。各前記側部支持フレーム６３は相互に平行する２枚の挟持板６３１及び２枚の挟持板６３１を接合させる接合板６３２で構成される。前記側部支持フレーム６３の挟持板６３１は絶縁本体１０の装着孔１７に対応する箇所に位置決め孔６３３が開設される。前記上部支持フレーム６１の上部板６１１及び２枚の側板６１２により絶縁本体１０の上表面及び両側面が被覆される。前記下部支持フレーム６２の底板６２１により絶縁本体１０の下表面及び下蓋３０が被覆される。上部支持フレーム６１の上部固定板６１３及び下部支持フレーム６２の下部固定板６２２は外に向けて絶縁本体１０から延出される。一対の上部固定板６１３は下部固定板６２２の上方に装着され、他の一対の上部固定板６１３は絶縁本体１０の装着ブロック１６の上方に装着される。上部支持フレーム６１の上部固定孔６１４は下部支持フレーム６２の下部固定孔６２３及び絶縁本体１０の装着孔１７にそれぞれ対向するように設置される。前記一対の側部支持フレーム６３により絶縁本体１０の装着ブロック１６が被覆される。より詳しくは、前記側部支持フレーム６３の挟持板６３１が上部支持フレーム６１の上部固定板６１３の上表面及び絶縁本体１０の装着ブロック１６の下表面に挟持される。側部支持フレーム６３の位置決め孔６３３、絶縁本体１０の装着ブロック１６の上方に装着される上部支持フレーム６１の上部固定孔６１４及び絶縁本体１０の装着孔１７は対応するように設置される。
【００１８】
以上のとおり、本考案の防水コネクタ１００は、下蓋３０により絶縁本体１０及び係合ブロック２２の下表面が密封されることで、水流が端子溝１３から挿入溝１１を経て流入する事態が防止される。また、挟持部材４０が装着される絶縁本体１０の装着溝１４内に接着剤が注入されることで、水流が装着溝１４から挿入溝１１を経て流入する事態が防止される。これにより、水流が製品の内部に進入する事態が阻止されて、防水効果が大幅に高まる。
【００１９】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００２０】
１００  防水コネクタ
１０    絶縁本体
１１    挿入溝
１２    係合溝
１３    端子溝
１４    装着溝
１５    挟持溝
１６    装着ブロック
１７    装着孔
２０    端子セット
２１    端子
２２    係合ブロック
３０    下蓋
４０    挟持部材
４１    挟持端子
４１１  固着部
４１２  挟持アーム
４１３  挟持部
４２  位置決めブロック
５０  充填体
６１  上部支持フレーム
６１１  上部板
６１２  側板
６１３  上部固定板
６１４  上部固定孔
６２    下部支持フレーム
６２１  底板
６２２  下部固定板
６２３  下部固定孔
６３    側部支持フレーム
６３１  挟持板
６３２  接合板
６３３  位置決め孔
【図１】
0003206263.tif 000003
【図２】
0003206263.tif 000004
【図３】
0003206263.tif 000005
【図４】
0003206263.tif 000006
【図５】
0003206263.tif 000007
【図６】
0003206263.tif 000008